【事件の表示】
　特許第３４０２８９７号「偏向走査装置」の請求項１ないし４に係る特許に対する特許異議の申立てについて、次のとおり決定する。
【結　論】
　訂正を認める。
　特許第３４０２８９７号の請求項１ないし２に係る特許を維持する。
【理　由】
 １．手続の経緯・本件発明
　特許第３４０２８９７号の請求項１〜４に係る発明についての出願は、平成８年１月９日に特許出願されたものであって、平成１５年２月２８日にその特許の設定の登録がなされ、その後、皆川美芳により特許異議の申立がなされ、取消理由通知がなされ、その指定期間内の平成１６年３月２３日付けで訂正請求がなされたものである。
２．訂正の適否について
２−１．訂正の内容
訂正事項ａ
　特許請求の範囲の請求項１の「ある第１の磁気部材」を、「あり回転多面鏡より外径が小である第１の磁気部材」と訂正し、同時に請求項４を削除する。これに伴い、明細書段落００１２の「ある第１の磁気部材」を、「あり回転多面鏡より外径が小である第１の磁気部材」と訂正する。
訂正事項ｂ
　特許請求の範囲の請求項３を削除する。
訂正事項ｃ
　明細書段落００１３の「外径より小」を、「外径より大」と訂正する。
２−２．訂正の目的の適否、新規事項の有無及び拡張・変更の存否　
　上記訂正事項ａについては、特許明細書の特許請求の範囲の請求項１に記載された第１の磁気部材を、「回転多面鏡より外径が小である」構成に限定しようとするものであり、明細書の段落００２０の記載及び図１，図２の記載を根拠とするものである。そして、これらの訂正は、願書に添付した明細書に記載した事項の範囲内においてなされたものであり、実質上特許請求の範囲を拡張し、又は変更するものではなく、特許法第１２０条の４第２項のただし書き第１号に規定する特許請求の範囲の減縮に相当するものである。
　上記訂正事項ｂについては、請求項３記載の「９０度」は請求項２記載の「９０度以下」に含まれることは明らかであり、両項の重複を排除しようとするものである。そして、この訂正は、願書に添付した明細書に記載した事項の範囲内においてなされたものであり、実質上特許請求の範囲を拡張し、又は変更するものではなく、特許法第１２０条の４第２項のただし書き第１号に規定する特許請求の範囲の減縮に相当するものである。
  上記訂正事項ｃについては、段落００１３の「外径より小」は誤記であって、「外径より大」でなければならないことは、段落００２０及び図１，２の記載から明らかである。そして、この訂正は、願書に添付した明細書に記載した事項の範囲内においてなされたものであり、実質上特許請求の範囲を拡張し、又は変更するものではなく、特許法第１２０条の４第２項のただし書き第２号に規定する誤記の訂正に相当するものである。
２−３．訂正の適否に対するむすび
　以上のとおり、本件訂正は、特許法第１２０条の４第２項及び同条第３項において準用する特許法第１２６条第２項及び第３項の規定に適合するので、当該訂正を認める。
３．特許異議申立の理由及び取消理由通知の概要
　特許異議申立人は、証拠として甲第１号証（特開平７−３３６９７０号公報）、甲第２号証（特開平５−２４９３９３号公報）を提出し、本件の請求項１〜４に係る発明は、特許法第２９条第２項の規定に該当するものであるから、本件の請求項１〜４に係る発明の特許は取り消されるべきものである旨主張している。
　そして、上記特許異議申立と同趣旨の取消理由通知を平成１６年１月９日付けで通知した。
４．当審の判断
４−１．本件発明
　上記２．で示したように上記訂正が認められるから、本件の請求項１、２に係る発明（以下、「本件発明１」、「本件発明２」という。）は、訂正明細書の特許請求の範囲の請求項１に記載された事項により特定される次のとおりのものである。
「【請求項１】光ビームを偏向走査する回転多面鏡と、これと一体的に回転自在であり回転多面鏡より外径が小である第１の磁気部材、該第１の磁気部材とともに前記回転多面鏡を回転させる駆動部を構成する第２の磁気部材を有し、前記第１の磁気部材の外周部にバランス溝が設けられており、該バランス溝の外周壁が前記回転多面鏡の中心軸に対して所定の傾斜角度だけ径方向外方へ傾斜していることを特徴とする偏向走査装置。
【請求項２】傾斜角度が９０度以下であることを特徴とする請求項１記載の偏光走査装置。」
４−２．甲各号証記載の発明
甲第１号証には、図２とともに、
「【００１５】
　図２は、本発明にかかる別の実施例を示すレーザービームスキャナ用モータの断面図である。本実施例は、一実施例と比べ回転多面鏡が大きい場合の実施例であり、シャフト、ハブ、クランプ用バネ及びバネ押えは前述した一実施例と微妙に異なった形状を成している。なお、前記４部材以外全く同じ形状・機能を有するため説明を省略する。
【００１６】
　回転多面鏡１５はハブ７の張出部１９の上部に載置されている。回転多面鏡１５は六角形を成し、その外端部はロータ９の外周壁９ａの上方にまで達している。そのためロータ９の外周壁９ａの上部に設けられたバランス溝１３にパテを取り付けることが困難である。
【００１７】
　そこで、回転多面鏡１５を上部から押圧固定しているクランプ用バネ１６の外周端部に丸みのある窪部２０を設けた。このクランプ用バネは、従来のように周方向に切り欠き部がなく連続した円形状を形成しているため、モータ回転時の風切り音のような騒音の発生がないと同時に、窪部２０は全周に渡って回転多面鏡１５に当接して押圧するため、ハブ７への固定が確実となる。
【００１８】
　また、窪部２０はロータ９の外周壁９ａ上部のバランス溝１３に代わるバランス溝２１となり、ロータ９の鍔部１１のバランス溝１４とクランプ用バネ１６のバランス溝２１との２ヶ所に回転バランス調整用のパテを取り付けることにより、安定したモータの回転を得ることができる。」(段落００１５〜００１８)、
が記載されている。
甲第２号証には、図３とともに、
「【発明が解決しようとする課題】
　しかしながら、回転数が毎分数千回転にも達する光偏向装置の場合、このようにポリゴンミラー１の上面にウェイト６を固着しただけではバランスの補正に限界があり、特に高い回転数領域では振動が大きくなるのを防止できない。この結果、ポリゴンミラー１の反射面の面振れに起因して、再生される画像に色むら、ピッチむらが生じ画像の品位が低下する。また、このような振動は回転軸を支承する軸受けの寿命に悪影響を及ぼす。　
　そこで、本発明は、上記従来技術の有する問題点を解消し、多面鏡の重心アンバランスを良好に補正でき、画像の品位を低下させる振動の発生を抑制できるようにした光偏向装置を提供することを目的とする。」（段落０００５）、
「なお、与圧ボス２４の付着部にのみウェイト２６を付着しモータ単品についてそのバランスの補正を図ることができるとともに、与圧ボスを備えていない在来のモータに図２、図３の与圧ボス２４、２８を付加することで、設計変更を極力抑えて重心バランスの改良を簡単、安価に図ることができることは勿論である。」（段落００１３）、
が記載されている。
４−３．対比・判断 
［本件発明１について］
　本件発明１は、「回転多面鏡と一体的に回転自在であって、回転多面鏡より外径が小である第１の磁気部材の外周部にバランス溝が設けられており、該バランス溝の外周壁が前記回転多面鏡の中心軸に対して所定の傾斜角度だけ径方向外方へ傾斜させた」点に技術的特徴があるが、甲第１号証には、「光ビームを偏向走査する回転多面鏡と、これと一体的に回転自在である第１の磁気部材、該第１の磁気部材とともに前記回転多面鏡を回転させる駆動部を構成する第２の磁気部材を有し、前記第１の磁気部材の外周部にバランス溝が設けられた」点が記載され、また甲第２号証には、「光ビームを偏向走査する回転多面鏡と、これと一体的に回転自在であり回転多面鏡より外径が小である第１の磁気部材、該第１の磁気部材とともに前記回転多面鏡を回転させる駆動部を構成する第２の磁気部材を有し、モータの回転軸下端部にバランス溝が設けられ、該バランス溝の外周壁が前記回転多面鏡の中心軸に対して所定の傾斜角度だけ径方向外方へ傾斜させた点」が記載されている。しかしながら、甲第１号証記載の発明と甲第２号証記載の発明とは、バランス溝の取付位置が基本的に異なっており、本件発明１の課題等を参酌すれば、これら両発明の組合せは、当業者が容易になし得たものとはいえない。
　そして、本件発明１は上記技術的特徴によって、明細書記載の効果を奏するものである。  したがって、本件発明１は、甲第１〜２号証記載の発明から当業者が容易に発明をすることができたものとはいえない。
　なお、特許異議申立人が参考物件として提出した、特開昭５４−６３２０１号公報、特開平５−３８０９２号公報、及び特開平５−２７３４８８号公報のいずれにも、上記本件発明１の技術的特徴が記載されていないのみならず、示唆すらされていないことは明らかである。
［本件発明２について］ 
　本件発明２は、本件発明１の構成を全て引用し、さらに限定を付加すものであるから、上記本件発明１に対すると同様の理由により、甲第１号証及び甲第２号証、並びに上記各参考物件に記載された発明に基づいて当業者が容易に発明をすることができたものではない。
５．むすび
　以上のとおり、特許異議申立の理由及び証拠によっては、本件請求項１、２に係る発明の特許を取り消すことはできない。
　又、他に本件発明の特許を取り消すべき理由を発見しない。 
　よって、結論のとおり決定する。
【異議決定日】
平成１６年４月７日（２００４．４．７）
【訂正の要旨】
審決（決定）の【理由】欄参照。
（５４）【発明の名称】
偏向走査装置
（５７）【特許請求の範囲】
　【請求項１】　光ビームを偏向走査する回転多面鏡と、これと一体的に回転自在であ
り回転多面鏡より外径が小である
　【請求項２】　傾斜角度が９０度以下であることを特徴とする請求項１記載の偏向走査装置。
【発明の詳細な説明】
　【０００１】
　【発明の属する技術分野】
　本発明は、レーザビームプリンタやレーザファクシミリ等の画像形成装置に用いられる偏向走査装置に関するものである。
　【０００２】
　【従来の技術】
　図６は、レーザビームプリンタやレーザファクシミリ等の画像形成装置に用いられる一般的な偏向走査装置を説明するもので、これは、レーザ光を発生する光源ユニット５０と、前記レーザ光を回転多面鏡１０１の反射面１０１ａに線状に集光させるシリンドリカルレンズ５１とを有し、前記レーザ光を回転多面鏡１０１の回転によって偏向走査し、結像レンズ系５２と折り返えしミラー５３を経て図示しない回転ドラム上の感光体に結像させる。結像レンズ系５２は球面レンズ５２ａ、トーリックレンズ５２ｂ等によって構成され、感光体に結像する点像の歪を補正する機能を有する。また、偏向走査されたレーザ光の一部分は図示しない反射ミラーによって光ファイバの受光端に導入され、走査開始信号に変換されて光源ユニット５０の半導体レーザ５０ａに送信される。
　【０００３】
　感光体の周辺には、感光体の表面を一様に帯電するコロナ放電器、感光体の表面に形成される静電潜像をトナー像に顕像化するための顕像化装置、前記トナー像を記録紙に転写する転写用コロナ放電器（いずれも不図示）等が配置されており、これらの働きによって半導体レーザ５０ａの変調に対応する記録情報が記録紙にプリントされる。
　【０００４】
　また、この偏向走査装置の照射位置調整は、光学箱５４の外側に設けた位置決めピン５５、５６によって行なわれている。すなわち、位置決めピン５５，５６はそれぞれのガイド孔５５ａ，５６ａに係合し、光学箱５４のＸ方向（光軸方向）の照射位置調整は位置決めピン５５および５６をともにＸ方向に同じ向きに移動させることによって行なわれ、光学箱５４のθ方向（回転角度）の調整は、位置決めピン５５と位置決めピン５６を、Ｘ方向に逆向きに移動させることによって行なわれる。
　【０００５】
　近年では偏向走査装置の高速化が進み、回転多面鏡１０１の回転速度が１０，０００ｒｐｍを越えるものも開発されている。
　【０００６】
　回転多面鏡１０１を回転させる駆動部は、図５に示すように、前記光学箱５４にボールベアリング１０２を介して支承された回転軸１０３と、これと一体である座金１０４に一体的に結合されたヨーク１０５ａおよびロータマグネット１０５と、軸受けハウジング１０２ａと一体であるモータ基板１０６に固定されたステータコイル１０７を有し、回転多面鏡１０１は押えバネ１０８ａ、バネ押さえ１０８ｂ等からなる弾性押圧機構１０８によって座金１０４に押圧されて、回転軸１０３やロータマグネット１０５と一体化される。
　【０００７】
　モータ基板１０６上の駆動回路から供給された駆動電流によってステータコイル１０７が励磁されると、ロータマグネット１０５が回転多面鏡１０１とともに高速度で回転し、前述のように、回転多面鏡１０１に照射されたレーザ光を偏向走査する。
　【０００８】
　回転多面鏡１０１を高速度で回転させると、回転多面鏡１０１、ロータマグネット１０５、ヨーク１０５ａ、座金１０４および弾性押圧機構１０８からなる回転体全体の質量のアンバランスに起因する動的不均衡によって振れ回り振動等を発生し、このために、画像形成装置の画質が劣化するおそれがある。そこで、ロータマグネット１０５のヨーク１０５ａに環状のバランス溝１０９を設け、これに重り１１０を接着することで前記回転体の質量のアンバランスを解消するように工夫されている。
　【０００９】
　なお、重り１１０は金属粒子やガラスビーズ等を紫外線硬化型等の光硬化型の接着剤に混ぜたものであり、適量の重り１１０をバランス溝１０９の適切な部位に載置し、紫外線等の光を照射することで硬化させてバランス溝１０９に接着する。
　【００１０】
　【発明が解決しようとする課題】
　しかしながら上記従来の技術によれば、回転多面鏡の外径の方がロータマグネットのヨークの外径より大である場合には、回転多面鏡が邪魔になってロータマグネットのヨークのバランス溝に重りを装着するのが極めて困難であり、また、ロータマグネットのヨークのバランス溝に重りを装着できたとしてもこれに紫外線等の光を照射する際にはやはり回転多面鏡が障害となり、バランス溝の底部に光が充分に到達せず、接着剤の硬化が不充分になったり、硬化時間が長くなる等の不都合がある。
　【００１１】
　本発明は、上記従来の技術の有する未解決の課題に鑑みてなされたものであり、回転多面鏡の振動を防ぐための重りの取り付けが極めて簡単である偏向走査装置を提供することを目的とするものである。
　【００１２】
　【課題を解決するための手段】
　上記の目的を達成するために本発明の偏向走査装置は、光ビームを偏向走査する回転多面鏡と、これと一体的に回転自在であ
り回転多面鏡より外径が小である
　【００１３】
　【作用】
　第１の磁気部材のバランス溝の適切な部位に適量の重りを接着することで回転多面鏡の振れ回り振動等を防止する。バランス溝の外周壁が回転多面鏡の中心軸に対して所定の傾斜角度だけ径方向外方へ傾斜しているため、回転多面鏡の外径が第１の磁気部材の外径より
大
　【００１４】
　その結果、偏向走査装置の小型化および低価格化を促進できる。
　【００１５】
　バランス溝の外周壁の傾斜角度が９０度であれば、さらに作業性が向上するうえ回転多面鏡を回転させたときに外周壁にかかる遠心力による応力集中を防ぎ、前記遠心力による磁気部材の破損等を回避できる。
　【００１６】
　【発明の実施の形態】
　本発明の実施の形態を図面に基づいて説明する。
　【００１７】
　図１は第１実施例による偏向走査装置の主要部を示す模式部分断面図であって、これは、図示しない光源ユニットから発生された光ビームであるレーザ光を結像レンズ系に向かって偏向走査する多角柱状の反射面を有する回転多面鏡１と、図示しない光学箱にボールベアリング２を介して支承された回転軸３と、これと一体である座金４を介して回転軸３と一体的に結合された第１の磁気部材であるロータ５と、モータ基板６に固定され、ロータ５とともに駆動部を構成する第２の磁気部材であるステータ７を有し、回転多面鏡１は押えバネ８によって座金４に押圧されて回転軸３やロータ５と一体化される。
　【００１８】
　モータ基板６上の駆動回路から供給された駆動電流によってステータ７が励磁されると、ロータ５が回転軸３や回転多面鏡１とともに回転し、前述のように、回転多面鏡１に照射されたレーザ光を偏向走査する。
　【００１９】
　回転多面鏡１を高速度で回転させると、回転多面鏡１、座金４、ロータ５等からなる回転体の動的不均衡によって振れ回り振動等を発生し、このために、画像形成装置の画質が劣化するおそれがある。そこで、ロータ５の外周部に環状のバランス溝９を設け、これに重り１０を接着することで前記回転体の質量のアンバランスを低減する。重り１０は、金属粒子やガラスビーズ等を紫外線硬化型等の光硬化型の接着剤に混入したものであり、回転多面鏡１を回転させてその振れ回り振動等を実測し、その測定値に基づいて重り１０の重さと取り付け位置を選定する。
　【００２０】
　本実施例においては、偏向走査装置全体を小型化するためにロータ５の外径が回転多面鏡１の外径より小さく設定されており、このために、バランス溝９に図示上方から重り１０を付加するのが困難であり、また、重り１０の接着剤を硬化させる光を照射する方向が限定されてバランス溝９の底部まで光を到達させるのが困難で、接着剤を充分に硬化させることができない。そこで、バランス溝９の外周壁９ａを径方向外方へ所定の傾斜角度θだけ傾斜させることによってバランス溝９をロータ５の側傍に向かって開口させる。
　【００２１】
　バランス溝９の外周壁９ａの傾斜角度θは、回転多面鏡１の最大外径部からバランス溝９の底部へ向かう傾斜面と回転多面鏡１の中心軸Ｏのなす角度θ０から９０°の範囲内であるのが望ましい。
　【００２２】
　このようにバランス溝９をロータ５の側傍に向かって開口させることで、注入器Ｔ等によって重り１０を付加する作業において回転多面鏡１が邪魔になったり、重り１０の接着剤を硬化させるための光が回転多面鏡１によって遮られる等の不都合を回避できる。すなわち、駆動部が小型化された偏向走査装置においてバランス溝９に対する重り１０の取り付け工程を大幅に簡単化かつ高速化して、偏向走査装置の小型化と製造コストの低減に大きく貢献できる。
　【００２３】
　図２は、バランス溝１９の外周壁１９ａの傾斜角度θが９０°である場合を示すものである。これは、ロータ１５の下端に径方向外向きのフランジ部を設けたものと同じであり、該フランジ部の角部１５ａがバランス溝１９を構成する。このようにバランス溝１９の外周壁１９ａの傾斜角度θが９０°であれば、（１）ロータ１５の外形が極めて簡単になってその製造コストを下げることができる、（２）ロータ１５が樹脂の場合、肉厚を均一にできるので成形性が向上する、（３）重り１０を硬化させる光の方向の自由度が大きくなり作業性が向上する、（４）回転多面鏡１の回転によってロータ１５に発生する応力を低減できるという利点がある。（４）を説明すると、図３に示すようにバランス溝９の外周壁９ａの傾斜角度θが９０°以下であれば、回転多面鏡１とともにロータ５が回転すると、バランス溝９の外周壁９ａに作用する遠心力のためにロータ５の下端が破線で示すように変形し、内径部の下端に局部的に大きな応力が発生する。ところが、図４に示すようにバランス溝１９の外周壁１９ａの傾斜角度θが９０°であれば、該外周壁１９ａに作用する遠心力が小さくなるため、上記のような応力集中は起こらない。
　【００２４】
　【発明の効果】
　本発明は上述のとおり構成されているので、次に記載するような効果を奏する。
　【００２５】
　回転多面鏡の振れ回り振動等を防ぐための重りの取り付けが容易であり、かつ、重りに含まれる接着剤を硬化させるための光をバランス溝の底部まで到達させて接着剤を短時間で充分に硬化させることができる。これによって偏向走査装置の組立工程を簡略化し、偏向走査装置の小型化と低価格化を促進できる。
【図面の簡単な説明】
　【図１】
　一実施例による偏向走査装置の主要部を示す模式部分断面図である。
　【図２】
　一変形例による偏向走査装置の主要部を示す模式部分断面図である。
　【図３】
　図１の装置においてロータに発生する応力を説明する図である。
　【図４】
　図２の装置においてロータに発生する応力を説明する図である。
　【図５】
　従来例による偏向走査装置の主要部を示す模式部分断面図である。
　【図６】
　図５の偏向走査装置の全体を示す平面図である。
　【符号の説明】
　１　　回転多面鏡
　３　　回転軸
　５，１５　　ロータ
　７　　ステータ
　９，１９　　バランス溝
　１０　　重り